(57)【特許請求の範囲】
【請求項１】
居室などのプレハブ式で床のない自己支持スペースユニット（１）であって、該スペースユニット（１）が、空間を限定している壁部（２）を少なくとも備え、該壁部（２）が、下方縁部にて、前記スペースユニット（１）の主な形状を規定する第１の支持枠（３）に締結され、前記スペースユニット（１）が該スペースユニットの用途に関連する取付け家具を備え、前記スペースユニット（１）の１つの壁部（２）及び該１つの壁部（２）に隣接し当接する壁部（２）の３つの壁部（２）が、第２の支持枠（４）が設置される空間を規定するように構成され、前記第２の支持枠（４）が、前記壁部（２）の前記下方縁部からある距離のところで前記３つの壁部（２）に取り付けられ、前記第２の支持枠（４）が、前記取付け家具に取り付けられることを特徴とする、スペースユニット。
【請求項２】
前記取付け家具が、ソファユニット（５）を含み、前記ソファユニット（５）が、前記第２の支持枠（４）上で支持され、固定された座部（５ｂ）及び背もたれ部分（５ａ）を備えることを特徴とする、請求項１に記載のスペースユニット。
【請求項３】
前記背もたれ部分（５ａ）を、前記座部（５ｂ）の頂部上に折り畳んでベッドにすることができることを特徴とする、請求項２に記載のスペースユニット。
【請求項４】
前記座部（５ｂ）が、座るための空間及びテーブルのための空間を備えるように設計されることを特徴とする、請求項２又は３に記載のスペースユニット。
【請求項５】
前記取付け家具が、前記第２の支持枠（４）上で支持される、ダブル・ベッド又は同様の固定されたベッドなど固定された家具を含むことを特徴とする、請求項１に記載のスペースユニット。
【請求項６】
前記第２の支持枠（４）が、ねじ（７）又は同様の締結具を用いて前記３つの壁部（２）に締結されることを特徴とする、請求項１に記載のスペースユニット。
【請求項７】
前記第１の支持枠（３）からの前記第２の支持枠（４）の距離が、前記支持枠によって規定される前記空間を収納スペースとして用いることができるように選択されることを特徴とする、請求項１または６に記載のスペースユニット。
【請求項８】
前記第２の支持枠（４）が、金属製であることを特徴とする、請求項１に記載のスペースユニット。
【発明の詳細な説明】
【技術分野】
【０００１】
本発明は、請求項１のプリアンブルによる、たとえば居室などのプレハブ式の、床のない自己支持スペースユニットに関し、このスペースユニットは、空間を限定する、好ましくは壁部パネル要素で構成される壁部を少なくとも備え、これらの壁部パネル要素は、互いに連結され、それらの下方縁部にて、スペースユニットの主な形状を規定する第１の支持枠に取り付けられる。
【背景技術】
【０００２】
自己支持スペースユニットの応用例は、たとえば建物、海洋構造物、船舶、列車などである。それらは、好ましくは、工場条件下でプレハブ加工されてからそれらの建設場所へと移動させられる。具体的には船内又は海洋構造物内など建設場所における建設は、デッキ上で行われることが多く、そのためスペースユニット用の床は別個に製作されないが、スペースユニットが定位置に建設された後に床仕上げ材が設置される。空間要素の移送には、十分な剛性が必要であり、そのためその下方部分内に金属支持枠が設けられる。一般に、確実に移送するために、別個の補助支持枠も用いられ、この補助支持枠は、スペースユニットの壁部を支持し、スペースユニットがその場所に移送された後に取り外される。
【０００３】
所望される場合は、空間要素の家具は、たとえばそれらを移送時に壁部に一時的に締結することにより、予め部分的に組み立てることができる。ただし大抵の場合、家具は予め設置されることはない。必要不可欠な家具は、日中は座る位置へと部分的に折り畳まれ、必要なときに拡げてベッドにすることができる、ベッド兼用ソファである。そのようなソファの下にはあまり大きな空間が残されず、ベッド位置では座部が床に対してスライドするので、ソファの下にある物を、まず移動させなくてはならず、そうしなければその物は破損する。この解決手段は、子供にとっても危険である。さらに、可動の座部を備えるソファの構造は、維持するために多数のローラアセンブリを必要とする。
【発明の概要】
【発明が解決しようとする課題】
【０００４】
本発明の目的は、従来技術の解決手段の上述の問題点及び欠点をなくすことができ、且つ、使用がより容易であり安全性特徴が改善された構造的に有利で移動させることが容易なスペースユニットを設けることができる、新規のプレハブ式の、床のない自己支持スペースユニットを提供することである。
【課題を解決するための手段】
【０００５】
本発明の目的は、請求項１及び他の請求項に詳細に記載される手段によって達成することができる。本発明によれば、スペースユニットの１つの壁部と、それに当接する隣接壁部は、第２の支持枠が壁部の下方縁部からある距離のところで前記壁部に設置され締結される。さらに、前記第２の支持枠は、スペースユニットの用途に関連する取付け家具を備える。
【０００６】
この解決手段は、いくつかの利点をもたらす。第１に、壁部を支持し、スペースユニットを移送し移動させた後で取り外される別個の補助枠が不必要である。というのも、本発明による第２の支持枠は、スペースユニットの壁部に固定され、そのためスペースユニットの壁部のための移送支持部として機能し、また、スペースユニットがその応用例内に設置された後に構造を強化するからである。スペースユニットがその応用例へと移動させられる前に取付け家具が支持枠内に設置される場合、スペースユニットのプレハブ加工の程度を改善することができるが、取付け家具は当然、後に設置することもできる。第２の支持枠及び取り付けられる取付け家具は、スペースユニットの下方支持枠から、すなわち床から、ある距離のところにあり、それらの下に、恒久的な収納スペースが形成される。前記収納スペースがつぶされないため、この解決手段は、子供にも安全である。固定された第２の支持枠はまた、いかなる音の振動を遮断するのにもよく適する。
【０００７】
前記取付け家具は、好ましくは、ソファユニットを含み、このソファユニットは、前記第２の支持枠上で支持され、固定された座部及び背もたれ部分を備える。すなわち背もたれ部分は、座部の頂部上に折り畳まれて、ベッドを設けることができる。
【０００８】
或いは、座部はまた、様々な方法で用いることができ、たとえば、座るための空間及びテーブル空間などを備えるように設計することができる。
【０００９】
別の実施例では、前記取付け家具は、前記第２の支持枠上で支持されるダブル・ベッド又は同様の固定されたベッド或いは家具など、固定された家具を含む。
【００１０】
実際、前記第２の支持枠は、好ましくは、ねじ又は同様の締結具を用いて前記３つの壁部に締結される。
【００１１】
前記第１の支持枠からの前記第２の支持枠の距離は、支持枠によって限定される空間を、様々な目的のための収納スペースとして用いることができるように選択される。
【００１２】
十分な剛性を得るために、前記第２の支持枠は、好ましくは金属で製造される。
【００１３】
以下で、添付の概略的な図面を参照しながら、本発明の一例を説明する。
【図面の簡単な説明】
【００１４】
【図１】スペースユニットを示す斜視図である。
【図２】スペースユニットの内側及び上方から見た、本発明による解決手段を示す図である。
【図３】図２の断面ＩＩＩ−ＩＩＩを示す図である。
【発明を実施するための形態】
【００１５】
図１は、船舶など移動する応用例にも、建物又は海洋構造物など固定される応用例にも等しくよく適する、典型的な自己支持スペースユニットを示す。床のないスペースユニットが、プレハブ加工された状態でその応用例へと移送されること、及び、床レベル（図３の床６を参照）で、定位置に建設されることが必須である。ここで、床レベルは、たとえば船舶又は海洋構造物の場合はデッキであり、スペースユニットの設置後に適当な表面材料が設けられる。スペースユニットは、ドア１ｂ及び壁部２を備え、ドア１ｂ及び壁部２は、それらの下方部分にて、スペースユニットの主な形状も規定する第１の支持枠３に締結される。応用例によっては、壁部は、組み立てることにより、様々なパネル要素から構築することができる。図１の実施例では、スペースユニットは、風呂ユニット１ａをさらに備える。
【００１６】
図２及び図３に示すように、第２の支持枠４は、スペースユニットの３つの壁部２によって規定される空間内に配置され、好ましくは、ねじ７を用いて壁部２に締結される。支持枠４は、スペースユニットを移送する間及び定位置で動かす間に壁部２を支持するのに十分な剛性を有するように、好ましくは金属製である。この構造は固定されるので、定位置に建設された後でも、構造を強化し、音の振動を防ぐのによく適する。
【００１７】
この第２の支持枠４は、第１の支持枠３及び床６から特定の適当な距離に配置されるので、支持枠の間の恒久的な空間を、保管空間として用いることができる。本発明によれば、支持枠４は、図の実施例ではソファユニット５を含む取付け家具をさらに備え、ソファユニット５は、支持枠４に取り付けられる固定された座部５ｂ及び背もたれ部分５ａを備える。背もたれ部分５ａは、壁部に締結された支持腕部５ｃ上で回転可能となるように、枢動部５ｄによって支持され、座部５ｂの頂部上に折り畳まれるときに完全なベッドを形成する。この型では、座部５ｂは、３人又はそれ以上の人が座るソファである。或いは座部５ｂは、たとえば座るための空間及びテーブルのための空間を備えるように形成することができる。
【００１８】
固定された支持枠４はまた、たとえばダブル・ベッド又は同様の固定されたベッド及びその他の家具など、他のタイプの家具と関連付けて適用することもできる。
【００１９】
本発明は、上記で説明した実施例に限定されず、添付の特許請求の範囲内で様々な修正例を考えることができる。
【符号の説明】
【００２０】
１ａ  風呂ユニット
１ｂ  ドア
２  壁部
３  第１の支持枠
４  第２の支持枠
５  ソファユニット
５ａ  背もたれ部分
５ｂ  座部
５ｃ  支持腕部
５ｄ  枢動部
６  床
７  ねじ
【図１】
0005976371.tif 000002
【図２】
0005976371.tif 000003
【図３】
0005976371.tif 000004